(57)【特許請求の範囲】
【請求項１】
少なくとも、複数のインターホンを組み合わせて構成し、各々のインターホンは、他のインターホンを一斉呼出するための内線呼出釦を備える構成のインターホンシステムにおいて、
上記内線呼出釦を操作したときには、他のインターホンを一斉に呼び出し、所定時間の間、音声呼び掛け時間を設けて、呼び出したインターホンに対して、音声による呼び掛けを可能としており、
上記音声呼び掛け時間が終了するまでに、上記内線呼出釦の操作をしたときには、その操作を継続している間、上記音声呼び掛け時間を延長することを特徴とするインターホンシステム。
【請求項２】
請求項１において、
他のインターホンを一斉に呼び出し、いずれかのインターホンで応答操作があったときには、そのインターホンとの間で内線通話状態とすることを特徴とするインターホンシステム。
【請求項３】
請求項１〜請求項２のいずれかにおいて、
上記複数のインターホンは、ワイヤレスインターホンで構成されており、これらのワイヤレスインターホン間で、ワイヤレス通信をする構成としたインターホンシステム。
【請求項４】
請求項３において、
ドアホン子器を信号線を介して接続したワイヤレス中継器を備えており、このワイヤレス中継器が、上記ワイヤレスインターホンとの間で、所定のワイヤレス信号の送受をすることによって、上記ドアホン子器と上記ワイヤレスインターホンとの通話をさせる構成としたインターホンシステム。
【発明の詳細な説明】
【０００１】
【発明の属する技術分野】
少なくとも、複数のインターホンを組み合わせて構成し、各々のインターホンは、他のインターホンを一斉呼出するための内線呼出釦を備えるインターホンシステムの改良に関する。
【０００２】
【従来の技術】
近時、一般住宅などにおいて、インターホンシステムが広く使用されている。このものでは、例えば、インターホン間の内線通話ができ、いずれかのインターホンの内線呼出釦を操作すると、他の複数のインターホンが一斉に呼び出され、その後、所定時間、音声呼び掛け時間を設けて、その時間の間は、呼び出したインターホンに対して、音声による呼び掛け、例えば、「ごはんですよ」や「○○さん応答してください」といったような呼び掛けをすることができる。
【０００３】
そして、呼び出された複数のインターホンのうち１台で応答があれば、応答をしたインターホンとの間で通話路が形成され、１対１の通話ができるようになる。
【０００４】
【発明が解決しようとする課題】
ところが、上記した従来のインターホンシステムでは、音声による呼び掛けは、一方的なものが多いため、音声呼び掛け時間は、例えば、１０秒と短く設定されている。
【０００５】
このため、長時間の呼び掛けを連続して行うには、複数回、内線呼出釦の操作を繰り返すか、全てのインターホンとの間で１対１の通話をする必要があり、不便であった。
【０００６】
本発明は、上記事情を考慮してなされたものであり、簡易な操作で、音声呼び掛け時間が延長でき、複数台のインターホンに対して、長時間の呼び掛けを途中で途切れることなく行うことのできるインターホンシステムを提供することを目的としている。
【０００７】
【課題を解決するための手段】
上記目的を達成するために、本発明の請求項１に記載のインターホンシステムでは、内線呼出釦を操作したときには、他のインターホンを一斉に呼び出し、所定時間の間、音声呼び掛け時間を設けて、呼び出したインターホンに対して、音声による呼び掛けを可能としており、音声呼び掛け時間が終了するまでに、内線呼出釦の操作をしたときには、その操作を継続している間、音声呼び掛け時間を延長することを特徴とする。
【００１０】
請求項２に記載のインターホンシステムでは、他のインターホンを一斉に呼び出し、いずれかのインターホンで応答操作があったときには、そのインターホンとの間で内線通話状態とすることを特徴とする。
【００１１】
請求項３に記載のインターホンシステムでは、複数のインターホンは、ワイヤレスインターホンで構成されており、これらのワイヤレスインターホン間で、ワイヤレス通信をする構成とした。
【００１２】
請求項４に記載のインターホンシステムでは、ドアホン子器を信号線を介して接続したワイヤレス中継器を備えており、このワイヤレス中継器が、ワイヤレスインターホンとの間で、所定のワイヤレス信号の送受をすることによって、ドアホン子器とワイヤレスインターホンとの通話をさせる構成とした。
【００１４】
【発明の実施の形態】
以下に、本発明の実施の形態について、図面とともに説明する。図１は、本発明のインターホンシステムの要部構成の一例を示す図である。
【００１５】
このものは、インターホンとして、１台のインターホン親機１、複数のインターホン副親機２（＃１〜＃ｎ）を備えており、これらは、２線式信号線Ｌを通じて接続されている。これらのインターホン１，２は、内線呼出釦Ｂと応答釦Ｃとを備える。なお、これらの釦Ｂ，Ｃのそれぞれの機能については後述する。
【００１６】
このような構成において、いずれかのインターホン１，２で内線呼出釦Ｂの操作をしたときの動作について、図２のタイムチャートとともに説明する。すなわち、内線呼出釦Ｂが操作されると、インターホン１，２は、他のインターホン１，２を一斉に呼び出す。このとき、他のインターホン１，２では、所定の内線呼出音、例えば、「プー」といった呼出音を出力する。
【００１７】
その後、所定時間（例えば１０秒間）は、音声呼び掛け時間となっており、呼出側のインターホン１，２で音声を入力することによって、呼び出したインターホン１，２に対する音声呼び掛けができる。そして、呼び出したインターホン１，２のうち、いずれか１台で応答釦Ｃの操作があれば、そのインターホン１，２との間で通話路が形成されて、１：１での通話状態となるが、所定時間が経過するまで、すなわち、音声呼び掛け時間が終了するまでに、再度、内線呼出釦Ｂを操作すると、音声呼び掛け時間が所定時間（例えば１０秒間）延長され、その後は、内線呼出釦Ｂを操作する度に、音声呼び掛け時間が、更に所定時間（例えば１０秒間）延長される。
【００１８】
このように、音声呼び掛け時間が終了するまでに、内線呼出釦Ｂを操作したときには、音声呼び掛け時間を所定時間延長し、その後、内線呼出釦Ｂを操作する度に、音声呼び掛け時間を、更に所定時間延長するので、簡易な操作で、音声呼び掛け時間が延長でき、複数台のインターホン１，２に対して、長時間の呼び掛けを途中で途切れることなく行うことができる。なお、音声呼び掛け時間が終了すると、呼出側、被呼出側いずれのインターホン１，２も元の待機状態となる。
【００１９】
図３は、いずれかのインターホン１，２で内線呼出釦Ｂの操作をしたときの動作の他例を示すタイムチャートであり、内線呼出釦Ｂの操作に同期して、音声呼び掛け時間が設けられ、その操作を継続している間は、音声呼び掛け時間が継続され、音声による呼び掛けを可能としている。
【００２０】
このように、内線呼出釦Ｂの操作を継続している間、音声呼び掛け時間を設けて、呼び出したインターホン１，２に対して、音声による呼び掛けを可能とするので、内線呼出釦Ｂの操作を継続していれば、長時間の呼び掛けでも途中で途切れることがなく、また、内線呼出釦Ｂの操作を中止すれば、その時点で音声呼び掛け時間が終了し、不要な音声を送り出すことがなくなる。
【００２１】
図４は、いずれかのインターホン１，２で内線呼出釦Ｂの操作をしたときの動作の更に他例を示すタイムチャートであり、内線呼出釦Ｂを操作すると、他のインターホン１，２から内線呼出音を出力させて一斉に呼出、その後、所定時間（例えば１０秒間）の間は、音声呼び掛け時間を設けるが、所定時間（例えば１０秒間）が経過するまで、すなわち、音声呼び掛け時間が終了するまでに、再度、内線呼出釦Ｂを操作すると、その操作を継続している間、音声呼び掛け時間を延長するようにしている。
【００２２】
このように、音声呼び掛け時間が終了するまでに、内線呼出釦Ｂの操作をしたときには、その操作を継続している間、音声呼び掛け時間を延長するので、長時間の呼び掛けでも途中で途切れることがなく、また、内線呼出釦Ｂの操作を中止すれば、その時点で音声呼び掛け時間が終了し、不要な音声を送り出すことがなくなる。
【００２３】
図５は、本発明のインターホンシステムの要部構成の他例を示す図である。このものは、インターホン親機としてワイヤレスインターホン親機１Ａ、インターホン副親機としてワイヤレスインターホン副親機２Ａを設置しており、上記したインターホン親機１，副親機２間で送受される制御信号や音声信号を、ワイヤレス信号として送受するようにしている。これによって、インターホンを容易に移動させたり、持ち歩くことが可能となる。
【００２４】
また、このシステムでは、ドアホン子器４を２線式信号線Ｌで接続したワイヤレス中継器３を設置して、ワイヤレス中継器３とワイヤレスインターホン１Ａ，２Ａ間で、所定の制御信号や音声信号を、ワイヤレス信号として送受することによって、ドアホン子器４とワイヤレスインターホン１Ａ，２Ａ間での通話、ワイヤレスインターホン１Ａ，２Ａからのドアホン子器４のモニタリングをすることを可能としている。
【００２５】
このように、ドアホン子器４とワイヤレス中継器３は、２線式信号線Ｌで接続されており、ワイヤレスインターホン１Ａ，２Ａはワイヤレス中継器３とワイヤレス信号の送受をするようにしているので、ドアホン子器４とワイヤレス中継器３とを施工しておけば、ワイヤレスインターホン１Ａ，２Ａをユーザが任意の場所に設置または移動させることができ、利便性が高い。
【００２６】
また、ワイヤレス中継器３を屋内に設けておけば、ワイヤレスインターホン１Ａ，２Ａとの間でのワイヤレス信号の送受を屋内ですることができ、電波状態が良好に保て、ワイヤレスインターホン１Ａ，２Ａを利用した、ドアホン子器２との通話やモニタリングが快適にできる。
【００２７】
なお、ワイヤレスインターホン１Ａ，２Ａでは、あらゆる通話相手との間で通話路が形成されるまでは、所定の通話準備音を出力する。これは、通話開始指示をした直後に話をすることによって、語頭が途切れることを防止するためである。
【００２８】
また、ドアホン−インターホン間、または、インターホン間の通話をするための通話チャンネルは複数用意されており、あるペアが通話をする際には、自動的に空きチャンネルを決定することによって、通話チャンネルの数だけ、通話ペアを形成できるようにしている。これによって、複数のペアが同時に通話することができる。なお、通話チャンネルに空きがない場合には、ワイヤレス中継器１、ワイヤレスインターホンで通話チャンネル不確保表示をする。
【００２９】
更に、このシステムでは、手動操作（押釦、スイッチ、引き紐などの操作）によってワイヤレス呼出信号を出力するワイヤレスコール機器５を備えており、出力されたワイヤレス呼出信号を、ワイヤレス中継器１が受け付け、ワイヤレスインターホン１Ａ，２Ａを呼び出す。このとき、ワイヤレスインターホン１Ａ，２Ａでは、所定のコール呼出音が出力され、操作されたワイヤレスコール機器５に対応するコールＬＥＤが点灯する。ワイヤレスコール機器５の電池切れで、出力されるワイヤレス呼出信号のレベルが低い場合には、ワイヤレスインターホン１Ａ，２Ａは、ワイヤレスコール機器電池切れ報知、例えば、ワイヤレスコール機器電池切れ報知音を出力する。
【００３０】
なお、コール呼出を受けているワイヤレスインターホン１Ａ，２Ａは、ドアホンとの通話が可能であるが、その際のコールＬＥＤの点灯は、ドアホン通話終了後になされる。
【００３１】
ここで、ワイヤレスインターホン１Ａ，２Ａのいずれか１台、例えば、ワイヤレスインターホン親機１Ａを、ワイヤレスコール機器５からのワイヤレス呼出信号を受信して、その呼出信号を他のワイヤレスインターホン、すなわち、ワイヤレスインターホン副親機２Ａに転送するようにしてもよく、こうすれば、ワイヤレス中継器３がなくても、ワイヤレスコール機器５からの呼出に対応することができる。なお、ワイヤレスコール機器５からの呼出信号の周波数を変換して転送してもよい。こうすれば、法規上、使用可能周波数の異なるコール呼出システムと無線通話システムの双方に対応することができる。また、呼出信号を増幅して転送するようにすれば、ワイヤレス呼出信号を遠くのワイヤレスインターホン副親機２Ａまで転送することができ、システムの信頼性が向上する。
【００３２】
【発明の効果】
以上の説明からも理解できるように、本発明の請求項１に記載のインターホンシステムでは、音声呼び掛け時間が終了するまでに、内線呼出釦の操作をしたときには、その操作を継続している間、音声呼び掛け時間を延長するので、長時間の呼び掛けでも途中で途切れることがなく、また、内線呼出釦の操作を中止すれば、その時点で音声呼び掛け時間が終了し、不要な音声を送り出すことがなくなる。
【００３５】
請求項２に記載のインターホンシステムでは、他のインターホンを一斉に呼び出し、いずれかのインターホンで応答操作があったときには、そのインターホンとの間で内線通話状態とするので、呼出側と被呼出側での１体１の通話が可能となり、２者以外に通話内容が漏れることがなくなる。
【００３６】
請求項３に記載のインターホンシステムでは、複数のインターホンは、ワイヤレスインターホンで構成されており、これらのワイヤレスインターホン間で、ワイヤレス通信をするので、請求項１、２のいずれかの効果を発揮できるとともに、インターホンを容易に移動させたり、持ち歩くことが可能となる。
【００３７】
請求項４に記載のインターホンシステムでは、ドアホン子器とワイヤレス中継器は、信号線で接続されており、ワイヤレスインターホンはワイヤレス中継器とワイヤレス信号の送受をするようにしているので、ドアホンとワイヤレス中継器とを施工しておけば、ワイヤレスインターホンをユーザが任意の場所に設置または移動させることができ、利便性が高い。
【００３８】
また、ワイヤレス中継器を屋内に設けておけば、ワイヤレスインターホンとの間でのワイヤレス信号の送受を屋内ですることができ、電波状態が良好に保て、ドアホン子器とワイヤレスインターホンとの通話が快適にできる。
【図面の簡単な説明】
【図１】本発明のインターホンシステムの要部構成の一例を示す図である。
【図２】インターホンシステムの動作の一例を説明するためのタイムチャートである。
【図３】インターホンシステムの動作の他例を説明するためのタイムチャートである。
【図４】インターホンシステムの動作の更に他例を説明するためのタイムチャートである。
【図５】インターホンシステムの要部構成の他例を示す図である。
【符号の説明】
１，２・・・インターホン
１Ａ，２Ａ・・・ワイヤレスインターホン
Ｂ・・・内線呼出釦
Ｃ・・・応答釦
【図１】
0003654183.tif 000002
【図２】
0003654183.tif 000003
【図３】
0003654183.tif 000004
【図４】
0003654183.tif 000005
【図５】
0003654183.tif 000006